(57)【要約】【課題】エネルギーコストを低減できるとともに、居住者が希望する条件の宅内環境を確実に実現することが可能な宅内環境システムを提供することを目的とする。【解決手段】宅内環境システムは、居住者が快適と感じた際の宅内外の環境データやエネルギー情報、機器運転情報等のデータを蓄積するデータ蓄積手段と、居住者の判断で実行されるとともに、データ蓄積手段に蓄積されたデータに基づいて宅内環境を調整する環境調整手段と、を備えており、環境調整手段は、宅外環境の利用を優先して宅内環境を調整する自然対応モード２０と、機器を運転して宅内環境を調整する機器運転モード２１と、を有している。これにより、居住者の快適さの感覚を重視した宅内環境の調整が可能となる。さらに、エネルギーコストを低減できるとともに、環境保全に配慮できる。【選択図】図１
2013020403.tif 000002
【特許請求の範囲】
【請求項１】
居住者が快適と感じた際の宅内外の環境データやエネルギー情報、機器運転情報等のデータを蓄積するデータ蓄積手段と、
居住者の判断で実行されるとともに、前記データ蓄積手段に蓄積されたデータに基づいて宅内環境を調整する環境調整手段と、を備えており、
前記環境調整手段は、宅外環境の利用を優先して宅内環境を調整する自然対応モードと、機器を運転して宅内環境を調整する機器運転モードと、を有していることを特徴とする宅内環境システム。
【請求項２】
請求項１に記載の宅内環境システムにおいて、
前記機器運転モードは、電池に蓄えられた電力の利用を優先する第一モードと、
再生可能エネルギーから変換された電力の利用を優先する第二モードと、からなることを特徴とする宅内環境システム。
【請求項３】
請求項２に記載の宅内環境システムにおいて、
前記第一モードおよび第二モードは、略等しい条件の宅内環境を形成可能に設定されており、前記自然対応モードは、これら第一モードおよび第二モードによって形成される条件の宅内環境を形成不能に設定されていることを特徴とする宅内環境システム。
【請求項４】
請求項２または３のいずれか一項に記載の宅内環境システムにおいて、
前記自然対応モードによる宅内環境の調整中に、居住者の判断で前記第一モードまたは第二モードの実行が選択された場合に、居住者に対してエラー報知を行うエラー報知手段を、さらに備えていることを特徴とする宅内環境システム。
【請求項５】
請求項２〜４のいずれか一項に記載の宅内環境システムにおいて、
前記各モードによる宅内環境の調整は、季節に応じて設定可能とされていることを特徴とする宅内環境システム。
【請求項６】
請求項２〜５のいずれか一項に記載の宅内環境システムにおいて、
前記第一モードで利用される電池は蓄電池であることを特徴とする宅内環境システム。
【請求項７】
請求項２〜６のいずれか一項に記載の宅内環境システムにおいて、
前記第二モードで利用される再生可能エネルギーは太陽光であることを特徴とする宅内環境システム。
【請求項８】
請求項２〜７のいずれか一項に記載の宅内環境システムにおいて、
前記各モードは、それぞれ個別のメモリに記憶されていることを特徴とする宅内環境システム。
【発明の詳細な説明】
【技術分野】
【０００１】
本発明は、住宅等の建物の宅内環境システムに関する。
【背景技術】
【０００２】
従来、個人住宅等の建物の宅内環境を、宅内の温熱環境とエネルギー消費とを連動し、さらに最適化することによって、最小のエネルギーコストで、かつ居住者が希望する条件で実現する技術が知られている（例えば、特許文献１参照）。
特許文献１に記載の技術では、居住者が希望する条件の宅内環境を実現するため、宅内の温熱環境とエネルギー消費を連動して計算し、さらに最適化できるように構成された管理マネージャ装置が利用されている。
【先行技術文献】
【特許文献】
【０００３】
【特許文献１】特開２００６−３３１３７２号公報
【発明の概要】
【発明が解決しようとする課題】
【０００４】
ところで、上述のような管理マネージャ装置は、インターネットの気象情報サイトから送信される気象予報データを利用した計算で得られる温熱環境の情報と、計算で得られる消費電力量との関係を最適化し、その結果を元に、空気調和設備や照明器具、家電機器を制御している。しかし、このような方法では、居住者の快・不快の感覚を重視していないため、居住者が希望する条件の宅内環境を確実に実現するには不十分であった。
【０００５】
本発明の課題は、エネルギーコストを低減できるとともに、居住者が希望する条件の宅内環境を確実に実現することが可能な宅内環境システムを提供することを目的とする。
【課題を解決するための手段】
【０００６】
請求項１に記載の発明は、宅内環境システムであって、例えば図１〜図５に示すように、居住者が快適と感じた際の宅内外の環境データやエネルギー情報、機器運転情報等のデータを蓄積するデータ蓄積手段（例えば、制御部１３、記憶部１４等）と、
居住者の判断で実行されるとともに、前記データ蓄積手段に蓄積されたデータに基づいて宅内環境を調整する環境調整手段（例えば、制御部１３等）と、を備えており、
前記環境調整手段は、宅外環境の利用を優先して宅内環境を調整する自然対応モード２０と、機器を運転して宅内環境を調整する機器運転モード２１（２１ａ，２１ｂ）と、を有していることを特徴とする。
【０００７】
請求項１に記載の発明によれば、前記データ蓄積手段（例えば、制御部１３、記憶部１４等）に、居住者が快適と感じた際の宅内外の環境データやエネルギー情報、機器運転情報等のデータを蓄積し、居住者の判断で前記環境調整手段（例えば、制御部１３等）を実行して、このデータ蓄積手段に蓄積されたデータに基づいて宅内環境を調整するので、居住者の快適さの感覚を重視した宅内環境の調整が可能となる。また、データを蓄積すればするほど、宅内環境を調整する際の精度を高めることができ、居住者が希望する条件の宅内環境が実現しやすくなる。
さらに、前記自然対応モード２０によれば、宅外環境として例えば風や日差し等を優先して利用し、宅内環境を調整することができるので、特に気温が高い場合や気温が低い場合を除く時日で、エネルギーコストを確実に低減できるとともに、居住者が希望する条件の宅内環境を確実に実現できる。また、宅外環境の利用を優先して宅内環境を調整することで、機器を運転するための多くのエネルギーを必要としないため、環境保全への配慮を十分なものとすることができる。
また、前記機器運転モード２１では、機器を運転して宅内環境を調整できるので、特に気温が高い時日や気温が低い時日であっても、居住者が希望する条件の宅内環境を確実に実現できる。さらに、機器を運転する機器運転モード２１であっても、例えば蓄電システムによって蓄電された安価な電力を利用したり、太陽光や風力等を始めとする再生可能エネルギーを利用したりすれば、エネルギーコストを低減できるとともに、環境保全に配慮することができる。
また、前記自然対応モード２０と機器運転モード２１とを組み合わせて宅内調整を行うことによって、エネルギーコストをさらに低減させることができる。すなわち、例えば、前記自然対応モード２０で宅外環境の利用を優先して宅内環境をできるだけ調整した後に、前記機器運転モード２１で機器を運転して宅内環境を調整すれば、特に気温が高い時日や気温が低い時日であっても、エネルギーコストをさらに低減しながら、居住者が希望する条件の宅内環境を確実に実現することが可能となる。
【０００８】
請求項２に記載の発明は、例えば図１〜図５に示すように、請求項１に記載の宅内環境システムにおいて、
前記機器運転モード２１は、電池に蓄えられた電力の利用を優先する第一モード２１ａと、
再生可能エネルギーから変換された電力の利用を優先する第二モード２１ｂと、からなることを特徴とする。
【０００９】
請求項２に記載の発明によれば、電池に蓄えられた電力の利用を優先する第一モード２１ａによって機器を運転して宅内環境を調整できるので、例えば自家発電手段によって発電された余剰の発電電力を蓄電したり、割安な夜間の系統電力を蓄積しておくことで、料金の高い時間帯の系統電力消費を抑え、エネルギーコストの低減を図ることができる。
また、再生可能エネルギーから変換された電力の利用を優先する第二モード２１ｂによって機器を運転して宅内環境を調整できるので、エネルギーコストを低減できるとともに、枯渇性エネルギーの消費を抑え、環境保全への配慮を十分なものとすることができる。
【００１０】
請求項３に記載の発明は、例えば図１〜図５に示すように、請求項２に記載の宅内環境システムにおいて、
前記第一モード２１ａおよび第二モード２１ｂは、略等しい条件の宅内環境を形成可能に設定されており、前記自然対応モード２０は、これら第一モード２１ａおよび第二モード２１ｂによって形成される条件の宅内環境を形成不能に設定されていることを特徴とする。
【００１１】
請求項３に記載の発明によれば、前記第一モード２１ａおよび第二モード２１ｂは、略等しい条件の宅内環境を形成可能に設定されているので、天候等、時と場合によって、第一モード２１ａと第二モード２１ｂとを使い分けることができるので、利便性に優れる。
また、前記自然対応モード２０は、これら第一モード２１ａおよび第二モード２１ｂによって形成される条件の宅内環境を形成不能に設定されているので、例えばエアコン等の機器の複雑な制御に影響されることなく、省エネ効率を向上できるとともに、故障等による不具合等の発生がしにくい。さらに、この自然対応モード２０で形成される条件の宅内環境を、前記第一モードお２１ａよび第二モード２１ｂで形成する必要が無くなるので、例えば少しの暑さでエアコンを稼働させるような無駄を省くことができ、エネルギーコストの低減や環境保全への配慮に、十分に貢献することができる。
【００１２】
請求項４に記載の発明は、例えば図１および図２に示すように、請求項２または３に記載の宅内環境システムにおいて、
前記自然対応モード２０による宅内環境の調整中に、居住者の判断で前記第一モード２１ａまたは第二モード２１ｂの実行が選択された場合に、居住者に対してエラー報知を行うエラー報知手段（例えば、制御部１３、表示部１１等）を、さらに備えていることを特徴とする。
【００１３】
請求項４に記載の発明によれば、前記自然対応モード２０による宅内環境の調整中に、居住者の判断で前記第一モード２１ａまたは第二モード２１ｂの実行が選択された場合に、前記エラー報知手段（例えば、制御部１３、表示部１１等）によって、居住者に対してエラー報知を行うことができるので、前記自然対応モード２０と、前記第１モード２１ａおよび第二モード２１ｂとを、宅内環境に応じた正確な使い分けができ、宅内環境を効率良く調整できる。
【００１４】
請求項５に記載の発明は、例えば図１〜図５に示すように、請求項２〜４のいずれか一項に記載の宅内環境システムにおいて、
前記各モード２０，２１（２１ａ，２１ｂ）による宅内環境の調整は、季節に応じて設定可能とされていることを特徴とする。
【００１５】
請求項５に記載の発明によれば、前記各モード２０，２１（２１ａ，２１ｂ）による宅内環境の調整は、季節に応じて設定可能とされているので、季節に対応した、より正確な宅内環境の調整が可能となる。
【００１６】
請求項６に記載の発明は、例えば図１〜図５に示すように、請求項２〜５のいずれか一項に記載の宅内環境システムにおいて、
前記第一モード２１ａで利用される電池は蓄電池であることを特徴とする。
【００１７】
請求項６に記載の発明によれば、前記第一モード２１ａで利用される電池は蓄電池であることから、この蓄電池に、例えば自家発電手段によって発電された余剰の発電電力を確実に蓄電したり、割安な夜間の系統電力を確実に蓄積しておくことができる。また、繰り返し使用することができるので経済的であるとともに利便性が高い。
【００１８】
請求項７に記載の発明は、例えば図１〜図５に示すように、請求項２〜６のいずれか一項に記載の宅内環境システムにおいて、
前記第二モード２１ｂで利用される再生可能エネルギーは太陽光であることを特徴とする。
【００１９】
請求項７に記載の発明によれば、前記第二モード２１ｂで利用される再生可能エネルギーは太陽光であることから、枯渇性エネルギーの消費を確実に抑えることができる。特に晴れた日の昼中の電力需要をまかなうことができるので、割高な時間帯の系統電力の使用量を抑えることができ、コストを低減できる。
【００２０】
請求項８に記載の発明は、例えば図１〜図５に示すように、請求項２〜７のいずれか一項に記載の宅内環境システムにおいて、
前記各モード２０，２１（２１ａ，２１ｂ）は、それぞれ個別のメモリ（例えば、記憶部１４）に記憶されていることを特徴とする。
【００２１】
請求項８に記載の発明によれば、前記各モードは、それぞれ個別のメモリ（例えば、記憶部１４）に記憶されているので、各モード２０，２１（２１ａ，２１ｂ）を平行して動作させることができる。これによって、例えば、宅内の複数の場所を、別々のモード２０，２１（２１ａ，２１ｂ）を機能させて環境調整したり、自然対応モード２０と、第一モード２１ａおよび第二モード２１ｂとをよりスムーズに連動させてモードの切り替えを行ったりすることができるので、居住者が希望する条件の宅内環境を実現しやすくなる。
【発明の効果】
【００２２】
本発明によれば、データ蓄積手段に、居住者が快適と感じた際の宅内外の環境データやエネルギー情報、機器運転情報等のデータを蓄積し、居住者の判断で環境調整手段を実行して、このデータ蓄積手段に蓄積されたデータに基づいて宅内環境を調整するので、居住者の快適さの感覚を重視した宅内環境の調整が可能となる。また、データを蓄積すればするほど、宅内環境を調整する際の精度を高めることができ、居住者が希望する条件の宅内環境が実現しやすくなる。
さらに、自然対応モードによれば、宅外環境として例えば風や日差し等を優先して利用し、宅内環境を調整することができるので、特に気温が高い場合や気温が低い場合を除く時日で、エネルギーコストを確実に低減できるとともに、居住者が希望する条件の宅内環境を確実に実現できる。また、宅外環境の利用を優先して宅内環境を調整することで、機器を運転するための多くのエネルギーを必要としないため、環境保全への配慮を十分なものとすることができる。
また、機器運転モードでは、機器を運転して宅内環境を調整できるので、特に気温が高い時日や気温が低い時日であっても、居住者が希望する条件の宅内環境を確実に実現できる。さらに、機器を運転する機器運転モードであっても、例えば蓄電システムによって蓄電された安価な電力を利用したり、太陽光や風力等を始めとする再生可能エネルギーを利用したりすれば、エネルギーコストを低減できるとともに、環境保全に配慮することができる。
また、自然対応モードと機器運転モードとを組み合わせて宅内調整を行うことによって、エネルギーコストをさらに低減させることができる。すなわち、例えば、自然対応モードで宅外環境の利用を優先して宅内環境をできるだけ調整した後に、機器運転モードで機器を運転して宅内環境を調整すれば、特に気温が高い時日や気温が低い時日であっても、エネルギーコストをさらに低減しながら、居住者が希望する条件の宅内環境を確実に実現することが可能となる。
【図面の簡単な説明】
【００２３】
【図１】本発明に係る宅内環境システムの一例を示す機能ブロック図である。
【図２】本発明に係る宅内環境システムが導入される住宅の立地条件の一例を示す図である。
【図３】エネルギー表示器の一例を示す図である。
【図４】居住者の快適性を定義する手段の一例を示す散布図である。
【図５】宅内環境の調整を行う手順を説明するフローチャートである。
【発明を実施するための形態】
【００２４】
以下、図面を参照して本発明の実施の形態について説明する。
図１は本発明に係る宅内環境システムの一例を示す機能ブロック図である。
図１において符号１０は、エネルギー表示器を示す。このエネルギー表示器１０は、表示部１１と、操作部１２と、制御部１３と、記憶部１４と、通信部１５とを備えている。
表示部１１は、例えば、液晶画面で構成される。表示部１１は、制御部１３からの表示信号に応じた画像を画面に表示する。本実施の形態において、表示部１１は、電力等のエネルギー状況を示す画面や、エアコン等の機器運転状況を示す画面、宅内外環境を示す画面、過去データを示す画面、省エネ等のアドバイスを示す画面、エラー報知を示す画面、その他の操作設定画面を表示することができる。
操作部１２は、操作者（主に、居住者）の操作に応じた操作信号を制御部１３に出力して、表示部１１に表示される各種画面の切り替えや、宅内環境システムの運転モードの選択、個別の機器操作、その他の操作設定等を行う操作手段である。本実施の形態の操作部１２は、図３に示すように、ＴＯＰボタン１２ａやＭＥＮＵボタン１２ｂ、上下左右ボタン１２ｃ、決定ボタン１２ｄ、キャンセル（戻る）ボタン１２ｅ、快適ボタン１２ｆ等の複数のボタンからなる。本実施の形態においては、表示部１１と、複数のボタンを有する操作部１２とが左右または上下に並んで配置されている。ただし、操作部１２はタッチパネル式でも良く、その場合は、表示部１１に表示される各種ボタンやプルダウンリスト等を操作して、本実施の形態の操作部１２と同様に機能させることができる。
記憶部１４は、宅内外環境データや、機器運転実績および運転条件等のデータ、各種エネルギーの使用実績および料金等のデータ、利用者にとっての快適条件および機器運転状況のデータ、宅内環境システムの各運転モードや省エネアドバイス等の各種機能を実行するためのプログラムやデータベース等、が記憶されている。
通信部１５は、インターネット等のネットワークを介して宅内環境システムと外部とを接続しており、例えば外出先からの宅内機器の遠隔操作や宅内環境の確認、気象予報等の外部情報サイトへのアクセス等を行うことができる。
【００２５】
以上のような構成のエネルギー表示器１０は、住宅１内の、例えばリビングルーム等の壁面に設置されており、居住者の誰もが操作しやすくなっている。
また、エネルギー表示器１０は、図１に示すように、エネルギー状況計測部１６と、機器運転状況監視部１７と、宅内環境計測部１８と、宅外環境計測部１９とに接続されている。
【００２６】
エネルギー状況計測部１６は、住宅１内で利用される電力やガス、水道等のエネルギーの使用量や発電量等の状況を常に計測する。
本実施の形態のエネルギー状況計測部１６のうち、電力エネルギーを計測するものは分電盤であり、住宅１に設置される発電システムや、住宅１内の各部（複数のエリア）に配線された電線と接続されている。
分電盤では、発電システムの発電量や、住宅１内の各部で電気が使用された場合の電力の使用量を計測する。そして、分電盤は、使用電力量および発電電力量を電気信号に変換し、電気信号を、信号線を介してエネルギー表示器１０に送信する。
また、売電を行う場合は、系統側電源（電力会社の配電線）に送られる電力を検知することにより売電量を計測する。また、蓄電を行う場合は、蓄電池等を含んで構成される蓄電装置に送られる電力を検知することにより蓄電量を計測する。
【００２７】
エネルギー状況計測部１６のうち、ガスの使用量を計測するものはガス会社から支給されるガスメータであり、パルスカウンターに接続されている。
このパルス出力付ガスメータは、ガス使用量検出部を内蔵しており、ガスの使用があった場合に使用量に応じたパルス信号をパルスカウンターに出力する。そして、パルスカウンターは、パルス出力付ガスメータから出力されるパルスをカウントしてガスの積算使用量を算出し、ガスの積算使用量を電気信号に変換し、電気信号を、信号線を介してエネルギー表示器１０に送信する。
ガスは、給湯用の他、ガスレンジ等の調理器用、ガスストーブ、床暖房等の空調用、燃料電池等の発電用などの複数の用途が考えられる。
【００２８】
エネルギー状況計測部１６のうち、水の使用量を計測するものは水使用量検出部であり、この水使用量検出部は、住宅１内に配管される各水道管内を流れる水の量を検知する複数の水量センサーから構成されている。また、水使用量検出部は、エネルギー表示器１０の直前でパルスカウンターに接続されている。
水使用量検出部は、水の使用があった場合に使用量に応じたパルス信号をパルスカウンターに出力する。そして、パルスカウンターは、水使用量検出部から出力されるパルスをカウントして水の積算使用量をそれぞれ算出し、各エリアにおける水の積算使用量を電気信号に変換し、電気信号を、信号線を介してエネルギー表示器１０に送信する。
【００２９】
機器運転状況監視部１７では、住宅１内に設置されるエアコンや除湿装置、加湿装置、換気扇、シーリングファン、日照遮蔽機器等のような宅内環境を調整可能な各種機器の動作状態や、窓等の換気口の開閉状態を常に監視する。これら各種機器および換気口の開閉は、エネルギー表示器１０の操作部から遠隔操作可能とされている。遠隔操作は、後述する自然対応モード２０や機器運転モード２１、通常運転モード２２を実行することによる自動制御や居住者自身による操作を含む。また、前記通信部１５を介して、居住者が外出先から各種機器の遠隔操作を行うこともできる。
つまり、エネルギー表示器１０と各種機器の制御部とが信号線を介して連動しており、さらに、エネルギー表示器１０と換気口用の障子を開閉させるための駆動装置の制御部とが信号線を介して連動している。これら各種機器の制御部と駆動装置の制御部は、エネルギー表示器１０側から送信された電気信号に基づいて制御される。
機器運転状況監視部１７は、前記各種機器および駆動装置を監視する電力センサーであり、前記分電盤に備えられている。これら電力センサーは、各種機器および駆動装置の使用電力量を計測する。そして、分電盤は、各種機器および駆動装置の使用電力量を電気信号に変換し、電気信号を、信号線を介してエネルギー表示器１０に送信する。これによって、各種機器および駆動装置の監視が行われている。
なお、前記通信部１５を介して、居住者が外出先から各種機器の遠隔操作を行う場合は、居住者は、通信部１５を介してエネルギー表示器１０にアクセス可能な情報端末等を使って遠隔操作を行うようにする。また、この情報端末に備えられる表示部で、各種エネルギーの状況や機器運転状況等の宅内環境を確認できるようにしても良い。
【００３０】
宅内環境計測部１８は、各種センサーであり、住宅１内の温度、湿度、空気環境、照度等を常に検知・計測する。各センサーは検知・計測結果を電気信号に変換し、電気信号を、信号線を介してエネルギー表示器１０に送信する。
温度センサーおよび湿度センサーは、住宅１内の複数の場所に設けられている。これら温度センサーおよび湿度センサーで計測される温度や湿度に基づいて、宅内の温度および湿度の環境調整が行われる。
空気環境センサーでは、空気中の埃や臭気を検知しており、住宅１内の複数の場所に設けられている。この空気環境センサーで検知される空気環境に基づいて、宅内の換気等の空気調整が行われる。
照度センサーでは、住宅１内に差し込む光を検知しており、住宅１内の複数の場所に設けられており、特に窓等の開口部付近に配置される。この照度センサーで検知される照度と前記温度センサーで計測される温度とに基づいて、宅内の日照調整が行われる。
【００３１】
宅外環境計測部１９は、各種センサーであり、宅外の温度、湿度、天候、日照、風速等を常に検知・計測する。各センサーは検知・計測結果を電気信号に変換し、電気信号を、信号線を介してエネルギー表示器１０に送信する。
温度センサーおよび湿度センサーは、住宅１の外壁やバルコニー等、または敷地２内の複数の場所に設けられている。これら温度センサーおよび湿度センサーで計測される温度や湿度に基づいて、宅内の温度および湿度の環境調整が行われる。
天候センサーは、例えば雨滴を検知するものであり、住宅１の外壁やバルコニー等、または敷地２内のいずれかに設けられている。この天候センサーで検知される天候に基づいて、宅内の湿度の環境調整が行われる。
日照センサーは、住宅１に降り注ぐ日照を検知しており、屋根または敷地２内のいずれかに一つまたは複数設けられている。この日照センサーで検知される日照に基づいて、宅内の温度および宅内の日照調整が行われる。
風速センサーは、風速および風向を検知しており、屋根や敷地２内の複数の場所に複数設けられている。この風速センサーで検知される風速・風向に基づいて、宅内の温度および宅内の換気等の空気調整が行われる。
また、宅外環境計測部１９の補助として、インターネットの気象情報サイトから宅外環境に関する気象データを取得しても良いものとする。
【００３２】
宅外環境計測部１９では、自家用車が、例えばプラグインハイブリッド車（ＰＨＶ）や、電気自動車（ＥＶ）等のように電気エネルギーで走行する自動車である場合に、車内の温度等を計測することができる。
すなわち、車内温度センサーと充電ケーブルの装着部とを接続するとともに、充電ケーブルと電力センサーとを接続する。さらに、充電ケーブルと装着部とを、車内温度の計測結果を充電ケーブル装着時に送信可能に構成する。これによって、エネルギー表示器１０の表示部１１に、車内温度センサーで計測された計測結果を表示できることになり、居住者は宅内にいながら車内温度を知ることができる。
なお、車内温度センサーで計測された計測結果を表示部１１で表示するだけでなく、操作部１２によって車内の空調を行える構成としても良い。これによって、夏期や冬期であっても宅内から車内温度の設定を行うことができるので、好ましい。
【００３３】
なお、前記宅外環境計測部１９で計測される宅外環境は、住宅１の立地条件に大きな影響を受ける場合がある。したがって、例えばエネルギー表示器１０の設置時に、住宅１の立地条件を予め設定したり、外部地図サイトを利用して立地条件を設定したり、システム内にＧＰＳ機能を備えること等によって、記憶部１４に立地条件を記憶させておくようにする。
本実施の形態の住宅１が建築された敷地２は、例えば隣家から離れた状態とされており、図２に示すような地域３に属している。この地域３は、住宅１の北側から西側に向かって流れる川３ａと、この川３ａの北西側に位置する山３ｂとがある。住宅１の周囲は、川３ａに沿って風が吹いたり、冬期に山３ｂから風が吹いたり、当然、他の方角からも風が吹くような自然環境となっている。川３ａに沿って吹く風や、山３ｂから吹く風は、例えば敷地２と川３ａとの間にあり、かつ、川３ａよりも高い場所に位置する歩道４や車道５、堤防６によって遮られる場合もあり、住宅１周囲の自然環境は気象条件や季節等により刻々と変化する。
この住宅１の立地条件は、例えば以上のような立地条件となっており、宅外環境計測部１９の各センサーでは変化する自然環境を常に監視・計測する。また、以上のような立地条件の自然環境に影響を受ける宅内環境も、宅内環境計測部１８で常に監視・計測する。
【００３４】
なお、住宅ごとによって立地条件は異なるので、風の取り入れ方や日当たり等もそれぞれ異なる。これに応じて、宅外環境計測部１９の各センサーの配置も十分に考慮することが望ましい。本実施の形態の住宅１では、図２に示すような立地条件下において宅外環境計測部１９の各センサーが、宅外環境の監視・計測を行う上で好適な場所に配置された状態となっている。
【００３５】
また、本実施の形態の住宅１には、発電システムとして太陽光発電装置が設置されている。この太陽光発電装置は前記エネルギー状況計測部１６の分電盤に接続されており、発電量を計測できるように設定されている。
さらに、この住宅１には、蓄電システムとして蓄電池を含んで構成される蓄電装置が設置されており、例えば太陽光発電装置によって発電された余剰の発電電力を蓄電したり、割安な夜間の系統電力を蓄電できる。また、蓄電池による蓄電量を計測する際は、上述のように、この蓄電池に送られる電力を検知する。
【００３６】
なお、本実施の形態においては、居住者の在・不在に関わらず、常に、エネルギー状況計測部１６によって住宅１内で利用されるエネルギーの使用量や発電量等を計測しており、機器運転状況監視部１７によって住宅１内に設置される各種機器の動作状態や、窓等の換気口の開閉状態を監視しており、宅内環境計測部１８によって住宅１内の温度、湿度、空気環境、照度等を検知・計測しており、宅外環境計測部１９によって宅外の温度、湿度、天候、日照、風速等を検知・計測している。
【００３７】
エネルギー表示器１０の表示部１１には、エネルギー状況計測部１６と、機器運転状況監視部１７と、宅内環境計測部１８と、宅外環境計測部１９とによって監視・計測した結果をリアルタイムで表示することがきる。
エネルギー状況計測部１６と、機器運転状況監視部１７と、宅内環境計測部１８と、宅外環境計測部１９とによって監視・計測した結果を記憶部１４に記憶し、データの蓄積ができる。これによって、記憶部１４には、宅内および宅外の環境データや、機器運転実績および運転条件等のデータ、各種エネルギーの使用実績のデータを蓄積することができる。また、蓄積したデータを、過去データとして表示部１１に表示することもできる。
【００３８】
また、制御部１３は、エネルギー状況計測部１６で計測した使用電力量の変化率に基づいて月末までの予測使用電力量を算出し、この予測使用電力量と、予め記憶部１４に記憶された電力料金の基本データと電力量料金データとから予測使用電気料金を算出できる。そして、この予測使用電気料金を表示部１１に表示することができる。また、月末までの予測使用電気料金だけでなく、電力料金の基本データと電力量料金データとから、月初から現在までの積算使用電気料金も算出でき、これを表示部１１に表示できる。なお、これら各種エネルギーの予測使用料金は、エネルギー状況計測部１６によって常に計測される計測結果を反映するものであるから、エネルギーの使用状況に応じて変化するように設定されている。
ガスおよび水道も同様に、使用量の変化率に基づいて月末までの予測使用量を算出し、この予測使用量と、予め記憶部１４に記憶された料金データとから予測使用料金を算出できる。そして、この予測使用料金を表示部１１に表示することができる。
これによって、前記記憶部１４には、各種エネルギーの料金データを蓄積することができる。
【００３９】
また、制御部１３は、記憶部１４に蓄積した各種エネルギーのデータを利用して省エネアドバイスを表示部１１に表示できる。例えば、現時点で消費されている電力についてアドバイスを受けたい場合は、使用電力量の蓄積データの平均値を算出し、この平均値を基準値とする。現時点の使用電力量と基準値とを比較し、現時点の使用電力量が基準値を超過している際に、予め記憶部１４に記憶されたアドバイスデータベースの中から適当なアドバイスを選択して表示部１１に表示する。
なお、アドバイスは表示部１１に表示するだけでなく、エネルギー表示器１０が音声出力可能であれば音声によるアドバイスを行っても良い。
また、アドバイスの種類も様々なものがあり、居住者自らが行動することで快適な宅内環境を実現するためのアドバイス等も用意されている。その他にも、居住者自らが行動することでエネルギー使用量の削減や、エネルギー使用量の増加抑制、コスト削減等を実現できるようなアドバイスも用意されている。
【００４０】
さらに、制御部１３は、記憶部１４に蓄積した各種エネルギーのデータを利用して、当月のエネルギー使用料金の目標設定を表示部１１に表示できる。その場合、上述のようにして制御部１３で算出される各種エネルギーの予測使用料金を利用する。すなわち、この予測使用料金と、比較対象となる電気料金データとを、例えば折れ線グラフ等を使って表示部１１上で比較できるように表示する。そして、居住者自身が、予測使用料金と比較対象となる電気料金データとを把握することによってエネルギーの使用状況を見直すなどの行動をとる。
なお、比較対象となる電気料金データは、予め記憶されたモデルプランでも良いし、過去データを採用しても良く、複数の比較対象データの選択肢の中から、居住者が選択できるようにしても良い。また、この目標設定と、上述の省エネアドバイスの機能とを連動させて、目標を達成するためのアドバイスを表示部１１に表示するようにしても良い。
【００４１】
本実施の形態の宅内環境システムは、図１〜図４に示すように、居住者が在宅の場合に、居住者にとって宅内環境が快適であることを認識させることができるように構成されている。
具体的には、前記操作部１２の快適ボタン１２ｆを押下することによって、記憶部１４に、ボタンが押下された時のエネルギー状況計測部１６と、機器運転状況監視部１７と、宅内環境計測部１８と、宅外環境計測部１９との監視および計測結果を記憶させることができる。したがって、記憶部１４には、居住者が快適と感じた時の、宅内および宅外の環境データやエネルギー情報、機器運転情報等のデータを蓄積できる。
【００４２】
また、図３に示すように、前記快適ボタン１２ｆを押下することによって、表示部１１に、快適ボタン１２ｆを押下したのが誰であるか、どこの部屋であるかを確認する画面が表示される。
【００４３】
「だれ？」項目では、予め登録された居住者全員の名前を表示した複数の選択肢Ａ，Ｂ，Ｃ，Ｄ…の中から、快適ボタン１２ｆを押下したのが誰であるか選択することができる。誰であるかを選択する際は、図３において選択肢Ａを囲むカーソルを上下左右ボタン１２ｃで左右に操作し、選択する選択肢にカーソルが合ったら決定ボタン１２ｄを押下する。これによって、居住者のうち、誰にとって快適であるかを、記憶部１４に記憶することができる。
なお、「だれ？」項目での選択が完了したら、選択肢を囲むカーソルは自動的に「どこ？」項目の一番目の選択肢Ｅに合うように設定されている。
【００４４】
「どこ？」項目では、予め登録された住宅１内の居室名を表示した複数の選択肢Ｅ，Ｆ，Ｇ，Ｈ…の中から、快適ボタン１２ｆを押下した居住者が快適であると感じた居室を選択することができる。居室を選択する際も、上下左右ボタン１２ｃでカーソルを操作し、選択する選択肢にカーソルが合ったら決定ボタン１２ｄを押下する。これによって、居住者が快適であると感じた居室を、記憶部１４に記憶することができる。
なお、「どこ？」項目で選択できる部屋は、住宅１内において居住者が日常的に居る部屋、すなわちリビングルームやダイニングルーム、キッチン、寝室、子供部屋等の居室としているが、これに限るものではなく、適宜変更可能である。
【００４５】
本実施の形態においては、居住者にとっての快適さを、乾球温度および湿度を含んだ宅内環境データに基づいて定義づけている。図４の散布図は住宅１内のいずれかの居室における夏期の快適性を示している。
この図４の散布図では、快適ボタン１２ｆが押下された時を「○」で表しており、「○」の密集度が高い部分における温湿度の条件下では居住者が快適と感じることが多く、「○」の密集度が低い部分における温湿度の条件下では居住者が快適と感じることが少ない。また、乾球温度や湿度が高くなるにつれて「○」の密集度が低くなる傾向となっている。
すなわち、「○」の密集度に応じて、居住者の快適度合を測ることができる。例えば図４では、一つの升目内に、いくつの「○」が密集しているかによって、升目ごとの密集度レベルを設定することができる。また、「○」の密集度レベルが高い升目群から遠い位置にある升目ほど、「○」の密集度も低くなる。
したがって、現在の乾球温度および湿度を含んだ宅内環境データがどの部分の升目に位置しているか、この升目の「○」の密集度レベルはどれくらいか、この升目は、「○」の密集度レベルが高い升目群からどれくらい離れているか、を導き出すことによって、現在の宅内環境の快適さを制御部１３で自動判断することが可能となっている。すなわち、このような快適さの自動判断方法をプログラム化して記憶部１４に記憶しておき、制御部１３の制御によって、いつでも宅内環境の快適判断を行うことも可能となる。
なお、快適さの自動判断方法は、これに限られるものではない。
なお、図４に示す快適性は、乾球温度と湿度とから算出されており、いわゆる不快指数に基づいて表わされている。
【００４６】
不快指数は、以下の計算式で算出される。Ｔ＝乾球温度℃、Ｈ＝湿度％とする。また、図４では、乾球温度を５℃刻みで表し、湿度を１％刻みで表している。
不快指数＝０．８１Ｔ＋０．０１×（０．９９Ｔ−１４．３）＋４６．３
【００４７】
なお、図４は、記憶部１４に記憶されるデータをわかりやすく表現するために表したものであるため、本実施の形態では、エネルギー表示器１０の表示部１１に表示されないものとするが、よりわかりやすくグラフ化したもの等を表示部１１に表示するようにしても良い。
【００４８】
また、図４で示す「○」は、図４中では乾球温度と湿度とを含んだ宅内環境データに基づいて定義づけられた居住者にとっての快適さを表す一つのデータであり、快適ボタン１２ｆが押下された時点で算出されて、その算出結果が記憶部１４に記憶される。しかも、このように快適さを表すデータを算出する際には、上述のようにエネルギー状況計測部１６と、機器運転状況監視部１７と、宅内環境計測部１８と、宅外環境計測部１９との監視および計測結果も記憶部１４に記憶されていることになる。さらに、上述のように、快適ボタン１２ｆを押下したのが誰であるか、どこの居室であるかというデータも記憶部１４に記憶されていることになる。
したがって、この快適さを表すデータには、エネルギー状況計測部１６と、機器運転状況監視部１７と、宅内環境計測部１８と、宅外環境計測部１９との監視および計測結果と、快適さを感じた居住者の特定するデータと、快適さを感じた居室を特定するデータとが関連付けられた状態となっている。
【００４９】
また、快適さを表すデータには、上述のような監視および計測結果や居住者特定データ、居室特定データだけでなく、時間や日付等の時間情報が関連付けられている。すなわち、制御部１３が、例えばＧＰＳや原子時計等から正確な時間情報を得ており、様々なデータを記憶部１４に記憶する際に時間情報の関連付けを行っている。
時間情報には、年月日の概念や、時分秒の概念が含まれており、カレンダーや時計として機能する。したがって、このような時間情報を単に記憶するデータに関連付けるだけでなく、エネルギー表示器１０で利用できる各種機能と組み合わせても良いものとする。
【００５０】
なお、住宅１に居住する居住者が複数人であっても、快適と感じる宅内環境は、温度と湿度とに基づいて一定の傾向を持ったものとなる。したがって、制御部１３は、図４で表されるような「○」が密集している部分のデータを参照して、居住者にとっての快適な宅内環境の指標とする。
また、複数人の居住者がのうち、住宅１内に最も長時間いる居住者に合わせて宅内環境を調整することも可能となっている。すなわち、快適ボタン１２ｆを押下した際に、「だれ？」項目で、誰にとって快適な環境であるかを記憶部１４に記憶してあるので、誰が住宅１内にいるかを制御部１３に認識させることによって、その人にとって快適な宅内環境を実現することができる。誰が住宅１内にいるかを制御部１３に認識させる方法としては、前記エネルギー表示器１０からの設定や、個人ＩＤシステムを導入するなどの公知の様々な技術を活用することができる。
【００５１】
本実施の形態の宅内環境システムは、上述のような居住者が快適と感じた際の宅内外の環境データやエネルギー情報、機器運転情報等のデータを蓄積するデータ蓄積手段と、居住者の判断で実行されるとともに、居住者が快適と感じた際のデータに基づいて宅内環境を調整する環境調整手段を備えている。
また、環境調整手段は、自然対応モード２０と、第一モード２１ａと第二モード２１ｂとからなる機器運転モード２１とを有している。
これら各モード２０，２１ａ，２１ｂによる宅内環境の調整は、各モード２０，２１ａ，２１ｂごとに設定されたプログラムに従って制御部１３がエネルギー表示器１０や各種機器等の動作を制御することによって行われる。
さらに、環境調整手段は、居住者が指定した運転条件または宅内環境を維持するための通常運転モード２２を有している。
【００５２】
この環境調整手段は、宅内環境が居住者にとって快適ではない場合に、居住者の判断で実行される。居住者の在宅時に、居住者の判断で環境調整手段を行うことによって快適な宅内環境をより形成しやすくなる。
また、制御部１３は、上述のように、図４のような快適さを表す散布図において、現在の乾球温度および湿度を含んだ宅内環境データがどの部分の升目に位置しているか、この升目の「○」の密集度レベルはどれくらいか、この升目は、「○」の密集度レベルが高い升目群からどれくらい離れているか、を導き出すことによって快適判断を行うことができる。居住者は、この制御部１３による快適判断に基づいて、環境調整手段を実行させることができる。
さらに、例えば居住者の不在時や、居住者自身が快適さを判断できない場合、居住者自身が制御部１３に判断を任せる場合などには、制御部１３が、宅内環境が快適か否かを判断して、環境調整手段を実行する場合がある。
【００５３】
なお、快適判断を行う際は、上述のような時間情報を考慮することが望ましい。すなわち、例えば夏期の温度２０℃と冬期の温度２０℃では感覚的に、また居住者の衣服にも違いがある。したがって、快適を判断する際には、現在の季節が何のかを時間情報から判明させるようにする。これによって、季節に対応した、より正確な宅内環境の調整が可能となる。
【００５４】
さらに、日常的に居住者の生活パターン・行動パターンをシステムに学習させておき、これら生活パターンや行動パターンから、宅内のうち、いずれの居室を環境調整するか優先順位付けを行うようにする。このように優先順位付けを行うことによって、居住者の生活パターンや行動パターンに合わせた的確な環境調整が可能となる。
生活パターンや行動パターンの学習方法は、様々なデータを記憶し、蓄積していくことであり、データ蓄積により、居住者の帰宅時間や、宅内環境システムの利用時間、風呂利用時間等、様々なパターンを学習することができる。
記憶するデータは、例えば、快適ボタン１２ｆが押下された時間・曜日・日付や、これに伴う「だれ？」情報および「どこ？」情報を始め、各種エネルギーの使用状況、環境調整手段が実行情報等、様々なものが挙げられる。
【００５５】
また、居住者の在宅時における環境調整手段の実行に際しては、エネルギー表示器１０の表示部１１に、前記各モード２０，２１ａ，２１ｂ，２２を選択する画面が表示される。さらに、各モード２０，２１ａ，２１ｂの他に、自然対応モード２０と、機器運転モード２１とを組み合わせて環境調整を行う「組み合わせモード」という選択肢も同時に表示される。
この時、制御部１３は、表示部１１に、各モード２０，２１ａ，２１ｂ，２２および組み合わせモードのうち、いずれのモードで宅内環境の調整を行うのが最適か表示することができる。すなわち、最適な運転モードを居住者に対してアドバイスとして推奨、提示することができる。
居住者は、自身の判断で、若しくは制御部１３からのアドバイスに基づいて、任意のモードを選択して環境調整手段を実行する。
また、居住者は、環境調整を行うのが宅内のいずれの居室・エリアであるかを、実行時に選択する。
本実施の形態においては、上述の「どこ？」項目で選択できる各居室を選択できるとともに、これら各居室の全室を一括選択することもできる。複数の居室を選択する際は、一つの居室ずつ選択すれば良いし、複数の居室ずつ選択できるようにしても良い。
居住者の不在時等の場合には、制御部１３が、宅内環境が快適か否かを判断して、推奨される運転モードに従って自動的に環境調整手段を実行する。
【００５６】
前記自然対応モード２０は、宅外環境の利用を優先して宅内環境を調整するモードであり、宅外から宅内に向かって風を取り込んだり、採光を行ったりする。また逆に、宅内から宅外に向けて空気を排出することも行われる。
宅外からの風の取り込みや空気の排出は、窓等の換気口を開放させて行う。窓等の換気口の開閉は障子を操作することによって行われる。また、この障子は、上述のように駆動装置によって換気口を開閉できるように設定されている。
宅内への採光は、複数の羽板を有するルーバー等の日照遮蔽機器の羽板を回転駆動させたり、駆動装置を用いてカーテンを開閉させたりして行われる。
なお、窓開閉や採光には駆動装置を駆動させるために必要な若干の電力が使用される。
また、この自然対応モード２０では宅外環境の利用を優先しているが、機器運転モード２１で運転する機器よりもエネルギー使用量の小さい機器の運転を優先して宅内環境の調整を行っても良い。エネルギー使用量のより小さい機器としては、例えば２４時間換気用の換気扇や、空気を循環させるために天井等に取り付けられるシーリングファン等が挙げられる。
【００５７】
自然対応モード２０による宅内環境の調整は、窓等の換気口を開放して宅外の風を取り込むことが頻繁に行われるが、宅内環境次第では、採光のみ行われる場合もあるし、その他、換気扇やシーリングファンだけを運転させる場合もある。
さらに、宅外から宅内に風を取り込む際に除湿処理を行う場合や、極力、宅外から風を取り込まずに熱（温度）を宅内に取り込む場合もある。熱を取り込む際に除湿処理を行う場合もある。
すなわち、自然対応モード２０によって宅外環境を利用する際は、宅内環境に基づいて決定される。
【００５８】
なお、本実施の形態の宅内環境システムは、自然対応モード２０による宅内環境の調整中に、居住者の判断で前記第一モード２１ａまたは第二モード２１ｂの実行が選択された場合に、居住者に対してエラー報知を行うエラー報知手段を備えている。すなわち、自然対応モード２０では、なるべく自然のエネルギー（風、日差し等）を利用するため、エラー報知を行うことで、機器の運転を促進する第一モード２１ａおよび第二モード２１ｂを実行させないようにしている。これによって、居住者に対してエラー報知を行うことができるので、前記自然対応モード２０と、前記第１モード２１ａおよび第二モード２１ｂとを、宅内環境に応じた正確な使い分けができ、宅内環境を効率良く調整できるようになっている。
本実施の形態のエラー報知手段は、エラー報知を行うだけで、居住者が他のモードを選択しようとするのを強制的に排除するものではないが、設定次第では、自然対応モード２０では２０による宅内環境の調整中における他のモードの選択を強制的に排除することも可能となっている。
また、エラー報知は、具体的には、エネルギー表示器１０の表示部１１に、エラー表示を行うことを指しているがこれに限られるものではなく、適宜変更可能である。エネルギー表示器１０が音声出力可能であれば音声や警報等によるエラー報知を行っても良い。
【００５９】
なお、本実施の形態の住宅１のように敷地２が隣家から離れているような場合には、特に風や日差しが宅内に入りやすいため、優先的に自然対応モード２０を選択することが望ましい。また、都心部に建築される住宅のように隣家から近い場合であっても、道路に面している場合や、風向が安定している場合には、優先的に自然対応モード２０を選択しても良い。
【００６０】
前記機器運転モード２１は、機器を運転して宅内環境を調整するモードであり、上述のように第一モード２１ａと第二モード２１ｂとからなる。なお、機器運転モード２１で運転する機器としては、例えばエアコンや除湿装置、加湿装置、空気清浄機、床暖房機等を始め様々なものが挙げられる。この機器運転モード２１では、これら機器を駆使して宅内環境を調整し、居住者が希望する居住者にとって快適な宅内環境を確実に実現することが行われる。
【００６１】
機器運転モード２１を構成する第一モード２１ａは、電池に蓄えられた電力の利用を優先するモードであり、本実施の形態において、第一モード２１ａで利用される電池は蓄電池とされている。すなわち、この第一モード２１ａでは、居住者にとって快適であることと、経済的（エコノミー）であることとを両立させることができる。
【００６２】
同じく第二モード２１ｂは、再生可能エネルギーから変換された電力の利用を優先するモードであり、本実施の形態において、第二モード２１ｂで利用される再生可能エネルギーは太陽光とされている。すなわち、この第二モード２１ｂでは、居住者にとって快適であることと、環境保全を推進（エコロジー）することとを両立させることができる。
【００６３】
このような機器運転モード２１によれば、蓄電池に蓄えられた電力の利用を優先する第一モード２１ａによって機器を運転して宅内環境を調整できるので、例えば自家発電手段によって発電された余剰の発電電力を蓄電したり、割安な夜間の系統電力を蓄積しておくことで、料金の高い時間帯の系統電力消費を抑え、エネルギーコストの低減を図ることができる。また、繰り返し使用することができるので経済的であるとともに利便性が高い。
また、太陽光から変換された電力の利用を優先する第二モード２１ｂによって機器を運転して宅内環境を調整できるので、エネルギーコストを低減できるとともに、枯渇性エネルギーの消費を抑え、環境保全への配慮を十分なものとすることができる。特に晴れた日の昼中の電力需要をまかなうことができるので、割高な時間帯の系統電力の使用量を抑えることができ、コストを低減できる。
また、太陽光発電装置によって発電された電力のうち、余剰な電力は蓄電池に蓄電されるように設定されている。さらに、蓄電池の他にも例えば蓄熱装置等を住宅１に設置しておけば、電力を熱に変換することによって、太陽光発電装置の余剰電力を蓄えておくことができるので好ましい。
【００６４】
前記通常運転モード２２は、居住者が指定した条件で機器を運転させて宅内環境を調整するか、前記自然対応モード２０、第一モード２１ａ、第二モード２１ｂと組み合わされて実行され、これら各モード２０，２１ａ，２１ｂによって調整された宅内環境を維持できるように設定されている。
つまり、この通常運転モード２２は、前記自然対応モード２０、第一モード２１ａ、第二モード２１ｂとは異なり、快適性を追求する形式ではなく、居住者による指定条件または他モードの運転条件を引き継ぐ形式で機器を運転させる。
例えば、第一モード２１ａの実行中に蓄電量の残量が少なくなれば、この通常運転モード２２に自動的に切り替わるように設定されている。また、第二モード２１ｂの実行中に悪天候等によって発電量が少なくなれば、この通常運転モード２２に自動的に切り替わるように設定されている。
【００６５】
第一モード２１ａおよび第二モード２１ｂは、略等しい条件の宅内環境を形成可能に設定されている。すなわち、第一モード２１ａであっても、第二モード２１ｂであっても、居住者にとっての快適な宅内環境を形成することは共通の目的であるため、これら第一モード２１ａおよび第二モード２１ｂは、略等しい条件の宅内環境を形成することになる。また、これら第一モード２１ａおよび第二モード２１ｂを、天候等、時と場合によって使い分けることができるので、利便性に優れる。
一方、前記自然対応モード２０は、これら第一モード２１ａおよび第二モード２１ｂによって形成される条件の宅内環境を形成不能に設定されている。すなわち、この自然対応モード２０は、なるべく自然のエネルギー（風、日差し等）を利用するとともに、機器運転モード２１で運転する機器よりもエネルギー使用量の小さい機器の運転を優先して宅内環境を調整するモードであるため、第一モード２１ａおよび第二モード２１ｂによって形成される条件の宅内環境を形成できないようになっている。これによって、例えばエアコン等の機器の複雑な制御に影響されることなく、省エネ効率を向上できるとともに、故障等による不具合の発生がしにくい。さらに、この自然対応モード２０で形成される条件の宅内環境を、前記第一モードお２１ａよび第二モード２１ｂで形成する必要が無くなるので、例えば少しの暑さでエアコンを稼働させるような無駄を省くことができ、エネルギーコストの低減や環境保全への配慮に、十分に貢献することができる。
【００６６】
また、前記自然対応モード２０、第一モード２１ａおよび第二モード２１ｂ、通常運転モード２２は、それぞれ個別のメモリに記憶されており、これら各モード２０，２１ａ，２１ｂ，２２を平行して動作させることができる。これによって、例えば、宅内の複数の場所を、別々のモード２０，２１ａ，２１ｂ，２２を機能させて環境調整したり、自然対応モード２０と、第一モード２１ａおよび第二モード２１ｂと、通常運転モード２２とをよりスムーズに連動させてモードの切り替えを行ったりできるので、居住者が希望する条件の宅内環境を実現しやすくなる。
【００６７】
次に、居住者が環境調整手段を実行する手順について、図５等を参照して説明する。ここでは、居住者は在宅しており、居住者自身がモード選択するものとする。
【００６８】
環境調整手段を実行する際は、まず、居住者が、エネルギー表示器１０の表示部１１に表示された自然対応モード２０と、第一モード２１ａと、第二モード２１ｂと、通常運転モード２２と、組み合わせモードの中から任意のモードを選択する（ステップＳ１）。居住者は、表示部１１に表示される推奨モードを選択してもよい。
続いて、居住者は、表示部１１に表示される居室の選択肢の中から、環境調整を行う対象となる居室を選択する（ステップＳ２）。全室を環境調整したい場合は、全室を一括選択する。
以下、居住者によって組み合わせモードが選択され、一つの居室が選択された場合の宅内環境調整の手順について説明する。また、季節は夏であり、時間帯は午前中とする。
【００６９】
居住者によって居室の選択が行われたら、自然対応モード２０が実行される（ステップＳ３）。自然対応モード２０による宅内環境調整は、予め設定された時間が経過するまで行われる。
なお、自然対応モード２０による宅内環境調整は、自然対応モード２０が開始されてから所定時間が経過したか否かを、制御部１３によって確認しながら行われる（ステップＳ４）。所定時間が経過していなければ、自然対応モード２０による宅内環境調整を継続する（ステップＳ５）。
【００７０】
所定時間が経過したら、第一モード２１ａに切り替わる前に、まず蓄電量の残量の確認が行われる（ステップＳ６）。蓄電量が十分であれば、第一モード２１ａによる宅内環境調整を開始する（ステップＳ７）。
第一モード２１ａの実行中は、対象居室が快適になったか否かの確認が断続的に行われる（ステップＳ８）。対象居室が快適になれば環境調整は終了となる。
対象居室が快適でない場合は、第一モード２１ａによる宅内環境調整を継続する（ステップＳ９）。そして、対象居室が快適になれば環境調整は終了となる。
【００７１】
また、ステップＳ６で、蓄電量の残量が十分ではない場合には、太陽光発電装置による発電量の確認が行われる（ステップＳ１０）。発電量が十分であれば、第二モード２１ｂによる宅内環境調整を開始する（ステップＳ１１）。
第二モード２１ｂの実行中は、対象居室が快適になったか否かの確認が断続的に行われる（ステップＳ１２）。対象居室が快適になれば環境調整は終了となる。
対象居室が快適でない場合は、第二モード２１ｂによる宅内環境調整を継続する（ステップＳ１３）。そして、対象居室が快適になれば環境調整は終了となる。
【００７２】
また、ステップＳ１０で、発電量が十分ではない場合には、通常運転モード２２による宅内環境調整を開始する（ステップＳ１４）。
通常運転モード２２の実行中は、対象居室が快適になったか否かの確認が断続的に行われる（ステップＳ１５）。対象居室が快適になれば環境調整は終了となる。
対象居室が快適でない場合は、通常運転モード２２による宅内環境調整を継続する（ステップＳ１６）。そして、対象居室が快適になれば環境調整は終了となる。
【００７３】
以上のようにして組み合わせモードによる宅内環境調整が行われる。
環境調整手段による宅内環境の調整は、以上の組み合わせモードだけでなく、各モード２０，２１ａ，２１ｂ，２２単独でも行われる。
また、第一モード２１ａおよび第二モード２１ｂでは、ステップＳ６とステップＳ１０において、予め蓄電量の残量や発電量の確認が行われるが、対象居室が快適になる前に蓄電量の残量が少なくなったり、十分な発電量が確保できなくなったりした場合には、自動的に通常運転モード２２に切り替わり、宅内環境調整を継続するように設定されている。
【００７４】
本実施の形態によれば、前記データ蓄積手段に、居住者が快適と感じた際の宅内外の環境データやエネルギー情報、機器運転情報等のデータを蓄積し、居住者の判断で前記環境調整手段を実行して、このデータ蓄積手段に蓄積されたデータに基づいて宅内環境を調整するので、居住者の快適さの感覚を重視した宅内環境の調整が可能となる。また、データを蓄積すればするほど、宅内環境を調整する際の精度を高めることができ、居住者が希望する条件の宅内環境が実現しやすくなる。
さらに、前記自然対応モード２０によれば、宅外環境として例えば風や日差し等を優先して利用し、宅内環境を調整することができるので、特に気温が高い場合や気温が低い場合を除く時日で、エネルギーコストを確実に低減できるとともに、居住者が希望する条件の宅内環境を確実に実現できる。また、宅外環境の利用を優先して宅内環境を調整することで、機器を運転するための多くのエネルギーを必要としないため、環境保全への配慮を十分なものとすることができる。
また、前記第一モード２１ａおよび第二モード２１ｂからなる機器運転モード２１では、機器を運転して宅内環境を調整できるので、特に気温が高い時日や気温が低い時日であっても、居住者が希望する条件の宅内環境を確実に実現できる。さらに、蓄電池によって蓄電された安価な電力を利用したり、太陽光を利用したりすることによって、エネルギーコストを低減できるとともに、環境保全に配慮することができる。
また、前記自然対応モード２０と機器運転モード２１とを組み合わせて宅内調整を行うことによって、エネルギーコストをさらに低減させることができる。すなわち、例えば、前記自然対応モード２０で宅外環境の利用を優先して宅内環境をできるだけ調整した後に、前記機器運転モード２１で機器を運転して宅内環境を調整すれば、特に気温が高い時日や気温が低い時日であっても、エネルギーコストをさらに低減しながら、居住者が希望する条件の宅内環境を確実に実現することが可能となる。
【符号の説明】
【００７５】
１  住宅
２  敷地
３  地域
１０  エネルギー表示器
１１  表示部
１２  操作部
１２ｆ  快適ボタン
１３  制御部
１４  記憶部
１５  通信部
１６  エネルギー状況計測部
１７  機器運転状況監視部
１８  宅内環境計測部
１９  宅外環境計測部
２０  自然対応モード
２１  機器運転モード
２１ａ  第一モード
２１ｂ  第二モード
【図１】
2013020403.tif 000003
【図２】
2013020403.tif 000004
【図３】
2013020403.tif 000005
【図４】
2013020403.tif 000006
【図５】
2013020403.tif 000007